(57)【要約】【課題】従来のリん棒は、リん棒本体の一端が把握部で、他方の一端が打撃部である構成に限定されているものであった。そのため、重量バランスがよくない、特にスタンド型リん棒と呼ばれるものは、重量バランスの偏りが極めて大きい。そのため、リんを置く座布団やりんの受け皿などに、リん棒を棒状本体の棒状方向を概略水平にして、安定放置しずらい弊害があった。また、打撃方法もこれといった工夫もなく単純な打撃方法しかなく、バリエーションに乏しいものであった。【解決手段】リん棒本体の両端部に打撃部を設けた。また、両端部の打撃部の少なくとも一方の打撃部に縦置姿勢に安定直立する設置部を設けたことにより、縦置姿勢でリん棒を置くことができ、場所の取らないスタンド型リん棒とすることもできる。両端部に設置部を設けることで、上下によらず縦置姿勢に安定直立できるスタンド型リん棒も可能となった。【選択図】  図１
2011087903.tif 000002
【特許請求の範囲】
【請求項１】
リん棒本体の両端部にリん棒本体に比べ膨大状の打撃部を有することを特徴とするリん棒
。
【請求項２】
請求項１に記載のリん棒であって、りん棒本体を棒状方向にて縦置姿勢に安定直立させる
ための、設置部を少なくとも一方の打撃部に設けたことを特徴とするスタンド型リん棒。
【請求項３】
請求項１に記載の打撃部のうち少なくも一つの打撃部の一部又は全部がリん棒本体と比べ
比重の大きな材質で構成されていることを特徴とした請求項１または２に記載のリん棒。
【請求項４】
りん棒本体の両端部に打撃部を有することを特徴とするりん棒
【請求項５】
りん棒本体に凸部を有することを特徴とする請求項１，２，３または４のりん棒。
【請求項６】
請求項５に記載の凸部が概略球状であることを特徴とする請求項５に記載のりん棒。
【請求項７】
請求項５に記載のりん棒本体の凸部に重心があることを特徴とした請求項１，２，３，４，５または６に記載のりん棒
【発明の詳細な説明】
【技術分野】
【０００１】
本発明は宗教用具のりんを叩いて鳴らす際に用いるリん棒に関するものである。
【背景技術】
【０００２】
リん棒は通常棒状であって、一端が手で掴む把持部で、他の一端が打撃部とから構成さ
れる、黒檀や花梨などのやや固めの木材からなるものである。最近では、金属からなるも
のや、天然大理石などを打撃する打撃部材からなるものも考案されている。昨今では、仏
壇が小型化していることもあり、省スペース化を目的としたスタンド型リん棒などが、考
案されている。
【０００３】
スタンド型リん棒として、特許３０１２８７２号に記載のリん撥などがある。これは棒状
本体の先端に球形打鐘部をそなえ、一方に直立安定させるための基部台座が設けられてい
ることを特徴としている。
【０００４】
ここでいうスタンド型りん棒とは、水平面に対して、リん棒の棒状方向をほぼ垂直な縦置
姿勢に安定直立し自立するように設計されたリん棒を示すものである。つまり、サポートするものがなくても通常の卓上で縦姿勢に自立して安定しておいて置けることが、要素となって販売流通されているりん棒のことを示す。
【０００５】
あるいは特開２００６−１６７４４２号のようにスタンド型りん棒として重量部を下部に
持たせて安定させたものが知られている。
【０００６】
また、実用新案第３１４０７５４号のように、天然石や人口合成石または模造石からな
る略球状打撃部を吊り下げ可能に装着したリン具が考案されている。
【先行技術文献】
【特許文献】
【０００７】
【特許文献１】特許３０１２８７２号
【特許文献２】特開２００６−１６７４４２号
【特許文献３】実用新案第３１４０７５４号
【発明の概要】
【発明が解決しようとする課題】
【０００８】
従来のリん棒において、基本的な構成は、いずれのものも、一端がリんを叩く打撃部と
もう一端が手で持つ把握部とで、構成されている。
【０００９】
しかしながら、構成上、重量バランスに偏りがある。主に打撃部に重量バランスが偏って
いる。特に前述のスタンド型リん棒と呼ばれるものは、重量の偏りがおおきい。そのため
、リんを置く座布団やりんの受け皿などに、リんを棒状本体の棒状方向を概略水平にして
、安定放置しづらい弊害があった。このため、リん棒が座布団や受け皿などから、落ちや
すいので不便であった。図５，６は座布団にリん棒を置いたときの説明図であり、説明正
面図（図５）と正面からみて右上から見た説明見取り図（図６）である。
【００１０】
また、りんを鳴らす打撃方法もこれといった工夫をする余地がなく、単純な打撃方法だけ
で、バリエーションに乏しいものであった。
【００１１】
それらの不具合を軽減するとともに、リん棒一本でさまざまなバリエーションのある打
撃方法やりんの鳴りを楽しめるリん棒が求められていた。
【課題を解決するための手段】
【００１２】
りん棒本体の両端部に打撃部を有することを特徴としたりん棒とした。加えて、
リん棒本体の両端部にリん棒本体に比べ膨大状の打撃部を有することを特徴とするリん
棒とした。また、両端部の打撃部は同形状、同重量であってもよいが、微妙に異なる二つ
の膨大状の打撃部にしてもよい。そうすることで、打撃による鳴りの違いを一本のリん棒
で実施できる。
【００１３】
もちろん、請求項２に記載の発明のように、りん棒本体を棒状方向にて縦置姿勢に安定
直立させるための設置部を少なくとも一方の打撃部に設けたことを特徴とするリん棒とす
ると縦置設置できて、場所も取らず便利である。いわゆるスタンド型リん棒にすることで
、省スペースで設置できる。
【００１４】
また、本発明のリん棒の両端の膨大状の二つの打撃部両方に設置部を設けると、どちらの
端部を下方にしてもよいので、上下いずれの方向でも縦置姿勢に安定直立できる。そのた
め、好きなほうの端部の膨大状の打撃部を下方にして、縦置姿勢に安定直立できて、便利
である。
【００１５】
また、請求項３に記載の本発明のように、打撃部のうち少なくも一つの打撃部の一部又は
全部がリん棒本体と比べ比重の大きな材質で構成されることを特徴とすることで、打撃部
のリん棒本体に対して比重大きな大なる材料の重量により、より効率的な打撃効果を得る
ことができる。
【００１６】
請求項４の発明のようにりん棒本体の両端部に打撃部を設けることで基本的にバリエーシ
ョンを広げることができる。
【００１７】
請求項５の発明のようにりん棒本体に凸部を設けることで、好ましい効果を得ることがで
きる。たとえば、凸部を丸く概略球状にすることで、把持部として、親指とひとさし指で
概略球状の凸部を指でつまみ持って、揺らすことで、図８のような動作がスムーズにいく
。
【００１８】
それ以上に注目すべきところがある。上記発明のものは、りんの上部に水平に置いた場合
に滑りやすく落ちやすい構造であるが、請求項５の発明によると打撃部と凸部により形成
されるくびれ部により、引っ掛かりができて、滑り落ちることを防ぐのである。
【００１９】
上記凸部は複数あっても問題はないが、少なくともそのうちのひとつの凸部に重心の中
心がくると、バランスよく打撃できると同時に滑り止めとして、効果的である。
【００２０】
上記凸部の太さは、りん本体端部の打撃部よりも同等であったり、太くても問題はない
。
【発明の効果】
【００２１】
本発明で請求項１の発明によれば、特に把持部と打撃部を意識せずにどちらの側でも打
撃してりんを鳴らせるため、面倒くささがなくなる。また、リん棒本体中央部をつまみ、
参考図（図８）のように、交互に両端の打撃部を連続して打ち鳴らすなどの効率的な打撃
方法が可能となった。これは、指で把持する部分を中心にシーソーのように、交互にりん
を打撃できる。一方の打撃部の打撃時の反動、反発力がそのまま、もう一方の打撃部の打
撃力に加わる理由によるものである。短い時間に今までにない早くて効率的な連続した打
撃ができ、りんを鳴らすのに幅広いバリエーションを持たせることができる。
【００２２】
加えて、二つの打撃部の形状や重量比率が異なったもので構成した本発明のリん棒を用い
ると２タイプの微妙な音の変化を一本のリん棒で体験できる。
【００２３】
もちろん、両端部に膨大状の打撃部があるため、全体的に重量バランスが中央部でとりや
すく、従来の重量バランスの偏りが一方の端部に大きいリん棒に比べて、リんの座布団や
りんの受け皿などの端（はじ）などに、容易に安定して置くことができる。ここで、参考
図として図８を示す。図８はりんの座布団（７）にリん棒本体（５）の棒状方向を水平に
して、リん棒本体（５）置いたイメージ図である。
【００２４】
また、本発明の請求項２に記載のリん棒によれば、簡便に縦置姿勢に安定直立できるため
場所も取らずに便利である。いわゆるスタンド型リん棒としての機能を持たせることで、
場所を取らないだけでなく、両端部に打撃部があるために、後述する効果がある。
【００２５】
つまり、簡便に縦置姿勢に安定直立したリん棒本体の上部から摘んでも、下部から摘んで
も両端部に打撃部があるためにスムーズに打撃動作に移ることができるのである。
【００２６】
請求項３に記載の発明のリん棒によると、打撃部の端部にリん棒本体に比べて比重の重
い金属などを、配することによって、打撃時の打撃効率を高めることが出きる。打撃時に
質量Ｍと速度Ｖの二乗に比例した打撃力がりんにエネルギーを与える。
【００２７】
請求項４に記載の発明は基本的な発明であり、打撃部が両端にあり、つまみ部がある構
成である。この発明により、様々なバリエーションの打撃方法が可能となる。
【００２８】
請求項５の発明のようにりん棒本体に凸部を設けることで、好ましい効果を得ることがで
きる。たとえば、凸部を丸く概略球状にすることで、把持部として、親指とひとさし指で
概略球状の凸部を指でつまみ持って、揺らすことで、図８のような動作がスムーズにいく
。ここで示す凸部の定義を示すておく。りん棒の棒状方向の概略中心に沿った縦断面において、凸となり飛び出した形状部分を示す。簡便に言えばりん棒本体から、凸形状の飛び出しを示す。実際にはりん棒本体が概略回転体であるため、リング状の凸形状を示すことになる。
【００２９】
それ以上に注目すべきところがある。上記発明のものは、りんの上部に水平に置いた場合
に滑りやすく落ちやすい構造であるが、請求項５の発明によると打撃部と凸部により形成
されるくびれ部により、引っ掛かりができて、滑り落ちることを防ぐのである。
【００３０】
上記凸部は複数あっても問題はないが、少なくともそのうちのひとつの凸部に重心の中
心がくると、バランスよく打撃できると同時に滑り止めとして、効果的である。
【００３１】
上記凸部の太さは、りん本体端部の打撃部よりも同等であったり、太くても問題はない
。
【発明を実施するための形態】
【００３２】
本発明のリん棒の具体的な構成について、各図面に基づいて説明する。
【実施例１】
【００３３】
図１は請求項１に記載の実施例である。リん棒本体（５）の両端部に膨大状の打撃部（１
１，１２）を有している。リん棒本体（５）は木材、樹脂、軽量金属など軽量なものが適
切であるが、特に素材に限定されるものではない。一方の打撃部（１１）と他方の打撃部
（１２）は同形状であるとデザイン的にすっきりしており、見やすいが、必ずしも同形状
である必要はない。形状として、図１のような杵型形状でもよいし、球状に構成されてい
てもよく、打撃に好ましい形状であれば、特に限定はない。リんを鳴らす打撃部（１１、
１２）は黒檀などの硬い木や樹脂、金属などが、好ましいが、特に限定されるものではな
い。好ましくは両端部の膨大状の打撃部以外のりん棒本体（５）に全体の重心があるほうがバランスよく図７のように座布団（７）などの上に置きやすく都合がよい。もちろん図８で示したように両端の打撃部（１）でりん（６）を打ちやすい利点もある。
【実施例２】
【００３４】
図２は請求項２に記載のリん棒の実施例である。いわゆるスタンド型リん棒の実施例であ
る。膨大状の打撃部（１１，１２）の端部に水平面上に縦置姿勢に安定直立させる設置部
（３１，３２）をおのおのに設けている。
【実施例３】
【００３５】
図３は請求項３に関わる発明の実施例の縦断面図である。打撃部（１１，１２）の端部
にリん棒本体（５）に比べて比重の重きな材料（４１，４２）、例えば木のリん棒本体（
５）に対して鉄や黄銅などの金属を図のように配することによって、打撃時の打撃効率を
高めることができる。打撃時に質量Ｍと速度Ｖの二乗に比例した打撃力がりん（６）にエ
ネルギーを与える。
【実施例４】
【００３６】
図４はさまざまな本発明のリん棒の正面図である。掲示した全てのリん棒は縦中央垂直方
向を軸とする回転体で構成されており、背面図、左側面図、右側面図は正面図と同様に表
れる。底面図、平面図は回転体であるため、リん棒端部の太さを直径とした円形で表され
る。リん棒のデザインは図４のようにさまざまな形が考えられる。請求項２に記載のリん
棒、いわゆるスタンド型の本発明リん棒は、りん棒本体（５）を水平面に対して棒状方向
にて縦置姿勢に安定直立させるための、設置部（３）を少なくとも一方の打撃部（１）に
設けてあれば、特段の限定はない。
【実施例５】
【００３７】
図９はフリーハンド図の説明図である。りん棒本体（１）のほぼ中央部に凸部を有する
りん棒で構成されている。凸部（８）が概略球状であると把握部（２）として、打撃しや
すい。また、ここだけ、材料を変えて、水晶や瑪瑙などの宝玉を用いてもよい。装飾的に
きれいであり、見栄えがする。図９のように、凸部（８）と打撃部（１１、１２）の間に
くびれ部（９１、９２）が形成されるために、そこが、りん（６）の上部に引っ掛かり、
すべり落ちづらくする効果がある。図１０はりん本体（１）に凸部（８）を有する発明に
関するさまざまな、りん棒の正面図である。掲示した全てのリん棒は縦中央垂直方向を軸
とする回転体で構成されており、背面図、左側面図、右側面図は正面図と同様に表れる。
底面図、平面図は回転体であるため、リん棒端部の太さを直径とした円形で表される。
【図面の簡単な説明】
【００３８】
【図１】本発明の実施形態を示す正面図である。
【図２】本発明の実施形態を示す説明正面図である。
【図３】本発明の実施形態を示す縦断面図である。
【図４】本発明の実施形態を示す正面図である。
【図５】説明のための説明正面図である。
【図６】説明のための説明見取り図である。
【図７】説明のための説明見取り図である。
【図８】説明図である。
【図９】説明図である。
【図１０】本発明の実施形態を示す正面図である。
【符号の説明】
【００３９】
１、１１、１２  打撃部
２              把持部
３、３１、３２  設置部
４１、４２      比重の大きな材料
５              リん棒本体
６              りん
７              座布団
８              凸部
９１、９２      くびれ部
【図１】
2011087903.tif 000003
【図２】
2011087903.tif 000004
【図３】
2011087903.tif 000005
【図４】
2011087903.tif 000006
【図５】
2011087903.tif 000007
【図６】
2011087903.tif 000008
【図７】
2011087903.tif 000009
【図８】
2011087903.tif 000010
【図９】
2011087903.tif 000011
【図１０】
2011087903.tif 000012